(57)【特許請求の範囲】
【請求項１】
画像に応じたトナー像を記録材へ転写し、該記録材を加熱および加圧して該トナー像を該記録材に定着させ画像形成を行う画像形成手段と、
前記画像形成手段により画像が形成された記録材を所定の補正力で押圧してそのカールを補正し排紙するデカーラと、
予め定められたテスト画像を表すトナー像を所定の濃度で複数の記録材の各々へ形成するとともに、予め定められた複数の補正力をそれぞれ一意に示す識別子であって、各記録材に加えられる補正力を一意に示す識別子の画像を前記複数の記録材の各々に形成するように前記画像形成手段を制御する一方、該複数の記録材の各々を前記予め定められた複数の補正力で押圧して排紙するように前記デカーラを制御する制御手段と、
前記複数の記録材の各々に付されている識別子のうちの何れかをユーザに入力させる入力手段と、
前記入力手段へ入力された識別子に応じた補正力を示すデータと前記所定の濃度を表すデータとを対応付けて格納するテーブルが記憶される記憶手段と、
を有する画像形成装置。
【請求項２】
前記制御手段は、予め定められた複数の濃度の各々について、前記テスト画像を表すトナー像を前記複数の記録材の各々へ形成するように前記画像形成手段を制御する一方、該複数の記録材の各々を互いに異なる補正力で押圧して排紙するように前記デカーラを制御する
ことを特徴とする請求項１に記載の画像形成装置。
【請求項３】
自装置内の温度または湿度の少なくとも一方を検出しその検出結果を表す環境データを出力するセンサを備え、
前記記憶手段は、前記テーブルを記憶する際にその時点の前記環境データを対応付けて記憶し、
前記記憶手段に記憶されている前記テーブルの格納内容に応じてカール補正を行うことをユーザに指示された場合に、その時点の前記環境データとそのテーブルに対応付けて前記記憶手段に格納されている前記環境データとを比較し、両者の乖離度が所定の閾値を超えている場合にその旨を警告する警告手段を更に備える
ことを特徴とする請求項１に記載の画像形成装置。
【発明の詳細な説明】
【技術分野】
【０００１】
本発明は、画像形成の際に記録材に生じたカールを補正して排紙する画像形成装置に関する。
【背景技術】
【０００２】
電子写真方式の画像形成装置の中には、画像形成の際に記録材（例えば、印刷用紙）に生じたカールを補正して排紙するカール補正装置（以下、「デカーラ」とも呼ぶ）を、画像形成部により記録材上に形成されたトナー像をその記録材に定着させる定着部の下流に有しているものがある（例えば、特許文献１および特許文献２）。
ところで、画像が形成された記録材に生ずるカールの度合いは、その記録材の種別（例えば、普通紙であるのか、それとも、コート紙であるのか）や、形成された画像の像密度（その記録材に担持されたトナー画像像の密度の平均値）、画像形成を行った際の温度や湿度などの環境条件等によって異なることが一般的である。このため、記録材に生じたカールを適切に補正するためには、これらの要因の全てを加味して適切な補正力を示すパラメータ（補正力の強さおよび方向）をデカーラに設定する必要があるが、このようなことを画像形成装置のユーザに行わせることは酷である。
そこで、ユーザに何らの繁雑な操作を行わせることなく、適切な補正力でカール補正を行わせることを可能にする技術が従来より種々提案されており、その一例としては特許文献３に開示された技術が挙げられる。この特許文献３には、記録材に形成される画像の像像密および湿度に対応付けて、その像密度の画像をその湿度下で記録材に形成した場合にその記録材に生じるカールを補正する際に好適な補正力を示すパラメータが書き込まれたテーブルをその記録材の種別毎に画像形成装置に予め記憶させておき（例えば、製品出荷
時点）、これらテーブルのうちから実際にユーザが利用する記録材の種別に応じたテーブルをユーザに選択させ、そのテーブルの格納内容と形成する画像の像密度および湿度とに基づいて特定された補正力でカール補正を行う技術が開示されている。
【特許文献１】特開平４−３３８０６０号公報
【特許文献２】特開平６−１５６８５２号公報
【特許文献３】特開平６−１４４６７８号公報
【発明の開示】
【発明が解決しようとする課題】
【０００３】
しかしながら、市場には多様な種類の記録材が出回っていることに加えて、例えば、普通紙として販売されている記録材の全てが同一の性質を有しているとは限らず、市場に出回っている全ての記録材について適切な補正力を示すパラメータが書き込まれたテーブルを画像形成装置に予め記憶させておくことは不可能である。
本発明は上記課題に鑑みて為されたものであり、利用する記録材に適した補正力を示すパラメータが書き込まれたテーブルをユーザに手軽に作成させることを可能にする技術を提供することを目的としている。
【課題を解決するための手段】
【０００４】
上記課題を解決するために、本発明は、画像に応じたトナー像を記録材へ転写し、該記録材を加熱および加圧して該トナー像を該記録材に定着させ画像形成を行う画像形成手段と、前記画像形成手段により画像が形成された記録材を所定の補正力で押圧してそのカールを補正し排紙するデカーラと、予め定められたテスト画像を表すトナー像を所定の濃度で複数の記録材の各々へ形成するとともに、予め定められた複数の補正力をそれぞれ一意に示す識別子であって、各記録材に加えられる補正力を一意に示す識別子の画像を前記複数の記録材の各々に形成するように前記画像形成手段を制御する一方、該複数の記録材の各々を前記予め定められた複数の補正力で押圧して排紙するように前記デカーラを制御する制御手段と、前記複数の記録材の各々に付されている識別子のうちの何れかをユーザに入力させる入力手段と、前記入力手段へ入力された識別子に応じた補正力を示すデータと前記所定の濃度を表すデータとを対応付けて格納するテーブルが記憶される記憶手段と、を有する画像形成装置を提供する。
【０００５】
より好ましい態様においては、前記制御手段は、予め定められた複数の濃度の各々について、前記テスト画像を表すトナー像を前記複数の記録材の各々へ形成するように前記画像形成手段を制御する一方、該複数の記録材の各々を互いに異なる補正力で押圧して排紙するように前記デカーラを制御する、ことを特徴としている。
【０００６】
また、別の好ましい態様においては、自装置内の温度または湿度の少なくとも一方を検出しその検出結果を表す環境データを出力するセンサを備え、前記記憶手段は、前記テーブルを記憶する際にその時点の前記環境データを対応付けて記憶し、前記記憶手段に記憶されている前記テーブルの格納内容に応じてカール補正を行うことをユーザに指示された場合に、その時点の前記環境データとそのテーブルに対応付けて前記記憶手段に格納されている前記環境データとを比較し、両者の乖離度が所定の閾値を超えている場合にその旨を警告する警告手段を更に備える、ことを特徴としている。
【発明の効果】
【０００７】
本発明によれば、ユーザに、そのユーザが利用する記録材に適した補正力を示すパラメータが書き込まれたテーブルを簡便に作成させることが可能になる、といった効果を奏する。
【発明を実施するための最良の形態】
【０００８】
以下、図面の参照しつつ本発明の実施形態について説明する。
（Ａ：構成）
図１は、本発明の１実施形態に係る画像形成装置１０の電気的な構成例を示すブロック図である。この画像形成装置１０は、複写対象である画像に応じたトナー像を印刷用紙やＯＨＰシートなどの記録材に電子写真方式で形成して出力する複写機であり、画像形成および定着を行う画像形成部や記録材を格納する用紙トレイ（何れも図示省略）の他に、図１に示すように、ユーザインタフェイス部１１０、システム制御部１２０、インタフェイス制御部１３０、紙送り制御部１４０、デカーラ制御部１５０、デカーラ１６０、センサ１７０および記憶部１８０を有している。なお、本実施形態では、電子写真方式の複写機に本発明を適用する場合について説明するが、電子写真方式のファクシミリ装置や電子写真方式のプリンタ装置に本発明を適用するとしても勿論良い。要は、電子写真方式で記録材上に画像形成を行う画像形成装置であれば本発明を適用することが可能である。
【０００９】
ユーザインタフェイス部１１０は、画像形成装置１０をユーザに利用させるためのユーザインタフェイスを提供する機能を担っている。このユーザインタフェイス部１１０は、図１に示すように表示部１１０ａと操作部１１０ｂとを含んでおり、図２に示すような外観を有している。
表示部１１０ａは、例えば液晶ディスプレイであり、画像形成装置１０の利用をユーザに促すための各種画面を表示するものである。一方、操作部１１０ｂは、テンキーなどの操作子と表示部１１０ａの表示面上に貼り付けられている透明な感圧センサとにより構成されている。上記感圧センサは表示部１１０ａとともに所謂タッチパネルを形成し、このタッチパネルや上記操作子は、ユーザに各種指示を入力させるためのものである。
【００１０】
図１のシステム制御部１２０、インタフェイス制御部１３０、紙送り制御部１４０およびデカーラ制御部１５０は、何れもＣＰＵ（Central Processing Unit）やＲＡＭ（Random Access Memory）により構成されている。
【００１１】
システム制御部１２０は、記憶部１８０に記憶されている制御プログラムにしたがってインタフェイス制御部１３０、紙送り制御部１４０、デカーラ制御部１５０および画像形成部（図示省略）の作動制御を行うものである。
【００１２】
インタフェイス制御部１３０は、システム制御部１２０による制御下でユーザインタフェイス部１１０の駆動制御を行う。より詳細に説明すると、インタフェイス制御部１３０は、システム制御部１２０からの指示に応じて各種画面を表示部１１０ａに表示させたり、上記操作子や上記タッチパネルに対するユーザの操作内容を表すデータ（以下、操作内容データ）を操作部１１０ｂから受け取り、その操作内容データの示す操作内容を画像形成装置１０に対する各種指示に変換してシステム制御部１２０へと引き渡す。
【００１３】
紙送り制御部１４０は、用紙トレイ（図示省略）に載置されている記録材を一枚ずつ取り出し、その各々を画像形成部（図示省略）へと搬送したり、その画像形成部によりトナー像が形成された記録材をデカーラ１６０へと搬送したりするための紙送り機構（図示省略）の駆動制御やデカーラ制御部１５０の作動制御をシステム制御部１２０の制御下で行うためのものである。ここで、上記紙送り機構には、例えば、記録材を搬送するための搬送ベルトや、その搬送ベルトを張架し所定の方向へ駆動するためのローラ、そのローラを回転駆動するモータなどが含まれている。紙送り制御部１４０は、上記モータの駆動制御を行うことによって、上記紙送り機構の駆動制御を行う。
【００１４】
デカーラ制御部１５０は、紙送り制御部１４０の制御下でデカーラ１６０の駆動制御を行うものである。デカーラ１６０は、図示せぬ画像形成部の下流に配設されており、一般的なカール補正装置と同様な構成を有している。
より詳細に説明すると、デカーラ１６０は、図３に示すように、ゴムベルト３０１ａに対してシャフト３０２ａを押圧し、ゴムベルト３０１ａを急激に湾曲させた状態で、記録材を画像担持面をゴムベルト３０１ａ側にした状態で両部材の間を通過させることによって、その記録材に生じているカール（画像担持面を内側にして巻き込む方向のカール）を補正するように構成されている。また、デカーラ１６０は、ゴムベルト３０１ｂおよびシャフト３０２ｂの間を記録材を通過させることによって、ゴムベルト３０１ａおよびシャフト３０２ｂによりカール補正を行う場合とは逆方向にカールしている記録材のカールを補正することも可能である。図３の切り替えゲート３０６は、ゴムベルト３０１ａおよびシャフト３０２ａと、ゴムベルト３０１ｂおよびシャフト３０２ｂとの何れによりカール補正を行うのかを切り替えるためのものである。
【００１５】
また、図３に示すデカーラ１６０においては、リンク部材３０３ａによってシャフト３０２ａに連結された従動部材３０５ａおよびリンク部材３０３ｂによってシャフト３０２ｂに連結された従動部材３０５ｂを、カム３０７の端部によって押圧することにより、カール補正の際に記録材に加わる補正力を調整することができるようになっている。より詳細に説明すると、カム３０７は、図３に示すように、３辺の長さが互いに異なる三角形の角部を切り欠いた形状に形成されているとともに、図示せぬモータにより回転駆動される軸３０８に固定されている。このカム３０７は、その３つの端部の何れかで従動部材３０５ａ（または、従動部材３０５ｂ）を押圧することによって、シャフト３０２ａ（または、シャフト３０２ｂ）を、１０ミリメートル、６ミリメートルまたは２ミリメートルの３段階の何れかでゴムベルト３０１ａ（または、ゴムベルト３０１ｂ）に食い込ませ、カール補正の際に記録材に加わる補正力を３段階に調整するものである。なお、以下では、ゴムベルト３０１ａおよびシャフト３０２ａによりカール補正を行う際の補正力を、“＋１０”、“＋６”および“＋２”と表し、逆に、ゴムベルト３０１ｂおよびシャフト３０２ｂによりカール補正を行う際の補正力を、“−１０”、“−６”および“−２”と表す。
【００１６】
図１のデカーラ制御部１５０は、切り替えゲート３０６およびカム３０７の駆動制御を行うことによって、“＋１０”〜“−１０”までの６段階のうちの何れの補正力でカール補正を行うのかを制御するためのものである。なお、本実施形態では、６段階の補正力でカール補正を行う場合について説明したが、カムの形状を適宜定めることによって、より多段階またはより少ない段階の補正力でのカール補正を行うようにしても良い。また、本実施形態では、デカーラ制御部１５０は、紙送り制御部１４０の制御下でデカーラ１６０の駆動制御を行う場合について説明したが、システム制御部１２０の制御下でデカーラ１６０の駆動制御を行うようにしても勿論良い。また、本実施形態では、インタフェイス制御部１３０や紙送り制御部１４０、デカーラ制御部１５０を、画像形成装置１０の各部の作動制御を行うシステム制御部１２０とは別個のハードウェアで構成する場合について説明したが、システム制御部１２０、インタフェイス制御部１３０、紙送り制御部１４０およびデカーラ制御部１５０の機能を単一のハードウェアに担わせても良いことは勿論である。
【００１７】
図１のセンサ１７０は、システム制御部１２０の制御下で、画像形成装置１０内部の環境（本実施形態では、湿度）を計測しその計測結果を示すデータ（以下、環境条件データ）をシステム制御部１２０へと渡すものである。なお、本実施形態では、センサ１７０が湿度センサである場合について説明したが、画像形成装置１０内部の温度を計測する温度センサであっても良く、また、温度と湿度の両者を計測するセンサであっても良い。
【００１８】
記憶部１８０は、例えばハードディスクやＥＥＰＲＯＭなどの不揮発性記憶手段である。この記憶部１８０には、システム制御部１２０に他の制御部や画像形成部などの作動制御を行わせるための制御プログラムが予め書き込まれている。また、この記憶部１８０には、記録材に形成される画像の像像密に対応付けて、その像密度の画像を記録材に形成した場合にその記録材に生じるカールをデカーラ１６０により補正する際に好適な補正力を示すデータ（本実施形態では、シャフト３０２ａや３０２ｂによる押圧量をゴムベルトに対するシャフトの食い込み量をミリメートル単位で表すデータ）が書き込まれたデカーラカスタムテーブルがその記録材の種別毎に格納される。
【００１９】
例えば、図４（ａ）は、普通紙に片面印刷（ストレート排紙）を行う場合についてのデカーラカスタムテーブルの一例を示す図であり、図４（ｂ）は、コート紙に片面印刷（ストレート排紙）を行う場合についてのデカーラカスタムテーブルの一例を示す図である。図４（ａ）に示すデカーラカスタムテーブルは、例えば、普通紙の片面に０〜１０％の像密度で画像形成を行いストレート排紙を行う場合には、“＋２”の補正力でカール補正を行えは良いことを表している。詳細については後述するが、本実施形態においては、上記デカーラカスタムテーブルは、本発明に係る画像処理装置に特徴的な動作を上記制御プログラムにしたがってシステム制御部１２０が行うことにより作成され、記憶部１８０へ格納される。
以上が画像形成装置１０の構成である。
【００２０】
（Ｂ：動作）
次いで、画像形成装置１０のシステム制御部１２０が、記憶部１８０に格納されている制御プログラムにしたがって行う動作について説明する。
（Ｂ−１：デカーラカスタムテーブル作成動作）
画像形成装置１０の電源（図示省略）が投入されると、システム制御部１２０は、上記制御プログラムを記憶部１８０から読み出し、そのシステム制御部１２０内のＲＡＭをワークエリアとしてその制御プログラムを実行する。この制御プログラムにしたがって作動しているシステム制御部１２０は、まず、画像形成装置１０の利用をユーザに促すためのメニュー画面を表示部１１０ａに表示させるようにインタフェイス制御部１３０を制御し、その結果、メニュー画面が表示部１１０ａに表示される。
このメニュー画面を視認したユーザは、操作部１１０ｂを適宜操作することにより、例えば原稿の複写や、画像形成装置１０を利用するための各種設定の実行を指示することができる。操作部１１０ｂを操作することにより入力されたユーザの指示は、インタフェイス制御部１３０を介してシステム制御部１２０へと伝達される。以下、本動作例では、各種設定の実行がユーザによって指示された場合について説明する。
【００２１】
システム制御部１２０は、各種設定の実行を指示されると、図５に示す設定メニュー画面を表示部１１０ａに表示させるようにインタフェイス制御部１３０を制御する。この設定メニュー画面を視認したユーザは、図５のラジオボタン５Ａを押下することにより、デカーラカスタムテーブル作成を指示することができる。また、ユーザは、図５のタグ５Ｂやタグ５Ｃを押下することにより、画像形成装置１０の各部の状態を表示するための状態表示画面を表示させたり、トナーや用紙トレイ（図示省略）に載置されている記録材などの消耗品の残量を表示するための残量表示画面を表示させたりすることができる。なお、画像形成装置１０の各部の状態や消耗品の残量を表示するための画面を表示部１１０ａに表示させている状況下で、タグ５Ｄが押下されると、システム制御部１２０は、図５に示す設定メニュー画面を表示部１１０ａに再度表示させる。以下、本動作例では、図５に示すメニュー画面にてラジオボタン５Ａがユーザによって押下された場合について説明する。
【００２２】
図５に示すメニュー画面にてラジオボタン５Ａが押下されたこと（すなわち、デカーラカスタムテーブル作成が指示されたこと）をインタフェイス制御部１３０を介して伝達されたシステム制御部１２０は、図６に示す確認画面を表示部１１０ａに表示させるようにインタフェイス制御部１３０を制御する。図６に示す確認画面を視認したユーザは、図６のボタン６Ａを押下することにより、デカーラカスタムテーブルの作成を開始する操作、または、図６のボタン６Ｂを押下することにより、その作成を中止する操作の何れかを実行することができる。
一方、システム制御部１２０は、図６に示す確認画面にてボタン６Ａが押下されたことを示すデータがインタフェイス制御部１３０から引き渡された場合には、図７に示すモード選択画面を表示部１１０ａに表示させるようにインタフェイス制御部１３０を制御し、逆に、逆に、ボタン６Ｂが押下されたことを示すデータがインタフェイス制御部１３０から引き渡された場合には、デカーラカスタムテーブルの作成を中止する。なお、本動作例では、上記確認画面にてボタン６Ａが押下された場合について説明する。
【００２３】
図７に示すモード選択画面を視認したユーザは、そのモード選択画面内のラジオボタン７Ａ、７Ｂおよび７Ｃの何れかを押下してデカーラカスタムテーブルの作成対象である印刷モードを選択し、更に、決定ボタン７Ｅを押下することによって、デカーラカスタムテーブルの作成対象である印刷モードを決定することができる。また、ユーザは、決定ボタン７Ｅに替えてリセットボタン７Ｄを押下することによって選択した印刷モードをリセットすることもできる。なお、印刷モードとは、記録材に対する画像の印刷態様および排紙態様のことであり、本実施形態では、片面印刷（ストレート排紙）、片面印刷（反転排紙）および両面印刷の３つのモードがある。以下、本動作例では、ユーザが、ラジオボタン７Ａを押下して「片面印刷（ストレート排紙）」を選択し、決定ボタン７Ｅを押下した場合について説明する。
【００２４】
デカーラカスタムテーブルの作成対象である印刷モードが決定されると、システム制御部１２０は、図８に示すサンプル印刷開始画面を表示部１１０ａに表示させるようにインタフェイス制御部１３０を制御するとともに、図９のフローチャートに示すデカーラカスタムテーブル作成処理を開始する。
【００２５】
図８に示すサンプル印刷開始画面を視認したユーザは、図８のボタン８Ａを押下することによってサンプル印刷の中止を指示すること、または、操作部１１０ｂに設けられているスタートボタン（図２参照）を押下することによってサンプル印刷の開始を指示すること、の何れかの操作を行うことができる。以下、本動作例では、図８に示すサンプル印刷開始画面が表示部１１０ａに表示されている状況下で、ユーザが、デカーラカスタムテーブルの作成対象である記録材を用紙トレイにセットした後にスタートボタンを押下した場合について説明する。
【００２６】
一方、システム制御部１２０は、図９に示すデカーラカスタムテーブル作成処理の実行を開始すると、まず、サンプル印刷の開始が指示されたのか否かを判定する（ステップＳＡ１００）。具体的には、システム制御部１２０は、図８に示すサンプル印刷開始画面を表示部１１０ａに表示させている状況下で、スタートボタンが押下されたことを示すデータがインタフェイス制御部１３０から引き渡された場合には、サンプル印刷の開始が指示されたと判定し、逆に、図８のボタン８Ａが押下されたことを示すデータがインタフェイス制御部１３０から引き渡された場合には、サンプル印刷の中止が指示されたと判定する。
そして、システム制御部１２０は、ステップＳＡ１００の判定結果が“Ｙｅｓ”である場合（すなわち、サンプル印刷の開始が指示されたと判定した場合）には、ステップＳＡ１１０以降の処理を実行し、逆に、ステップＳＡ１００の判定結果が“Ｎｏ”である場合（すなわち、サンプル印刷の中止が指示されたと判定した場合）には、本デカーラカスタムテーブル作成処理を中止する。前述したように、本動作例では、図８に示すサンプル印刷開始画面が表示部１１０ａに表示されている状況下で、スタートボタンがユーザにより押下されたのであるから、ステップＳＡ１１０以降の処理が実行されることになる。
【００２７】
ステップＳＡ１００に後続して実行されるステップＳＡ１１０においては、システム制御部１２０は、図４（ａ）および（ｂ）に示す５段階の像密度（すなわち、０〜１０％、１１〜２５％、２６〜４０％、４１〜６０％および６１〜１００％の５段階の像密度）のうちからサンプル印刷を行う像密度を決定する（ステップＳＡ１１０）。本動作例では、システム制御部１２０は、上記５段階の像密度のうちから像密度が低い順に、サンプル印刷を行う像密度を決定する。例えば、上記５段階の像密度のうちの何れについてもサンプル印刷が実行されていな状況下では、システム制御部１２０は、サンプル印刷を行う像密度を“０〜１０％”に決定する。なお、本動作例では、上記５段階の像密度のうちから像密度が低い順に、サンプル印刷を行う像密度を決定する場合について説明したが、逆に、像密度を像密度が高い順に決定するとしても勿論良い。
【００２８】
次いで、システム制御部１２０は、図１０に示す印刷終了待ち画面を表示部１１０ａに表示させるようにインタフェイス制御部１３０を制御してサンプル印刷を実行中である旨をユーザへ報知する一方、ステップＳＡ１１０にて決定した像密度でのサンプル印刷を開始する（ステップＳＡ１２０）。
より詳細に説明すると、システム制御部１２０は、６枚の記録材を用紙トレイから順次取出し、その各々にステップＳＡ１１０にて決定した像密度で所定のテスト画像（例えば、濃度が均一な画像）とその出力順を示す識別子（本実施形態では、１から６までの何れかの値のサンプル番号）および次にユーザが行うべき手順を示す差込画像とを図１１に示すように形成し、その各々について互いに異なる補正力（すなわち、前述した＋１０ミリメートルから−１０ミリメートルまでの６段階のうちの何れか）でカール補正を行うように紙送り制御部１４０、画像形成部（図示省略）およびデカーラ制御部１５０を制御し、それらサンプルを出力する。具体的には、システム制御部１２０は、サンプル番号が“１”である場合には、＋１０の補正力でカール補正を行い、サンプル番号が大きくなるほど、小さな補正力でカール補正を行うように上記各部を制御する。つまり、上記サンプル番号は、そのサンプル番号が印字されたサンプルに対するカール補正の補正力を表している。このため、上記サンプル番号は、ステップＳＡ１１０にて決定された像濃度で画像形成を行う場合にカール量を最も少なくする補正力をユーザに指定させる際に利用される。なお、本実施形態では、前述した６段階の補正力の各々について１枚ずつサンプル印刷を行う場合について説明したが、各補正力について複数枚ずつサンプル印刷を行うとしても勿論良い。また、本実施形態では、各記録材に加えられた補正力を示す識別子として上記サンプル番号を用いる場合について説明したが、例えば、“＋１０”や“−１０”などその補正力を直接的に示す値を上記識別子として用いても良く、また、“＋１０”〜“−１０”の６段階の何れの段階の補正力であるかを示す値（例えば、１〜６）であっても良い。
【００２９】
次いで、システム制御部１２０は、前述した６段階の補正力の全てについてサンプル印刷が完了すると、図１２に示す評価結果入力画面を表示部１１０ａに表示させるようにインタフェイス制御部１３０を制御し、前述したステップＳＡ１１０にて決定した像密度についてのサンプル印刷が全て完了した旨を報知するとともに、最もカール量の少ないサンプルのサンプル番号を入力することをユーザへ促す（ステップＳＡ１３０）。
【００３０】
図１２に示す評価結果入力画面を視認したユーザは、画像形成装置１０により出力された６枚のサンプルを比較し、それらのうちで最もカール量の少ないサンプルに印字されているサンプル番号を操作部１１０ｂに設けられているテンキーを適宜操作して入力し、図１２に示す評価結果入力画面の設定ボタン１２ａを押下する。このようにして最もカール量の少ないサンプルのサンプル番号が入力されると、システム制御部１２０は、そのサンプル番号をインタフェイス制御部１３０から受け取り、ステップＳＡ１１０にて決定した像密度を表すデータ（以下、像密度データ）と対応付けてＲＡＭに書き込み記憶する。
前述したように、サンプル番号は、そのサンプル番号が印字されたサンプルについてのカール補正の補正力に対応しているのであるから、図１２に示す評価結果入力画面を介して入力されたサンプル番号とステップＳＡ１１０にて決定された像密度とを対応付けてＲＡＭに書き込むことにより、その像密度で片面印刷（ストレート排紙）を行う際の最もカール量を少なくする補正力が特定されたことになる。
【００３１】
次いで、システム制御部１２０は、前述した５段階の像密度の全てについて、最もカール量を少なくする補正力の特定が完了したか否かを判定する（ステップＳＡ１４０）。
ステップＳＡ１４０の判定結果が“Ｙｅｓ”である場合には、システム制御部１２０は、図１３に示すサンプル出力再開画面を表示部１１０ａに表示させるようにインタフェイス制御部１３０を制御してサンプル印刷が再開されたことをユーザへ報知するとともに、次の像密度を決定し（ステップＳＡ１１０）、ステップＳＡ１２０以降の処理を実行する。逆に、ステップＳＡ１４０の判定結果が“Ｎｏ”である場合には、システム制御部１２０は、図１４に示す保存先指示画面を表示部１１０ａに表示させるようにインタフェイス制御部１３０を制御してサンプル印刷の終了を報知するとともに、カスタムテーブルの保存先を指示することをユーザへ促す（ステップＳＡ１５０）。
【００３２】
図１４に示す保存先指示画面を視認したユーザは、作成したデカーラカスタムテーブルの保存を所望する場合には、図１４のラジオボタン１４Ａ〜１４Ｈの何れかを選択することによってその保存先を選択し、図１４の決定ボタン１４Ｊを押下することによってその保存先へ保存することができる。また、作成したデカーラカスタムテーブルの保存を所望しない場合には、図１４の中止ボタン１４Ｉを押下することによってそのデカーラカスタムテーブルを保存することなく本デカーラカスタムテーブル作成処理を終了することもできる。本動作例では、図１４のラジオボタン１４Ａが押下され（すなわち、保存先として「カスタムテーブル１」が選択され）、決定ボタン１４Ｊが押下されたものとする。
【００３３】
図１４に示す保存先指示画面にて、保存先が選択され決定ボタン１４Ｊが押下されると、システム制御部１２０は、そのシステム制御部１２０内のＲＡＭに互いに対応付けて格納されているサンプル番号および像密度データの組を図４に示すデカーラカスタムテーブルの形式に編集し、そのデカーラカスタムテーブルに、その作成時の環境を示す環境条件データおよび図７に示すモード選択画面にて選択された印刷モードを表すモード識別子を対応付けて、上記保存先指示画面にて選択された保存先（本動作例では、「カスタムテーブル１」）に対応する記憶部１８０の記憶領域へ書き込んで保存し（ステップＳＡ１６０）、本デカーラカスタムテーブル作成処理を終了する。
以上に説明した動作の結果、ユーザの利用する記録材についてその片面に印刷される画像の濃度毎に適切な補正力を示すデータが格納されたデカーラカスタムテーブルが作成され、記憶部１８０に格納されることになる。
【００３４】
（Ｂ−２：デカーラカスタムテーブル設定動作）
さて、上述したデカーラカスタムテーブル作成動作にて作成したデカーラカスタムテーブルを利用してカール補正を行う際には、例えば、画像形成装置１０の運用管理を行う機械管理者がそのデカーラカスタムテーブル（例えば、上記動作例にて作成したカスタムテーブル１）を利用する旨の設定を事前に行っておく必要がある。以下では、係る設定の際に画像形成装置１０が行うデカーラカスタムテーブル設定動作について図面を参照しつつ説明する。
【００３５】
図１５は、カール補正を行う際に利用するデカーラカスタムテーブルの設定を上記機械管理者に行わせるための機械設定画面の一例を示す図である。機械管理者は、操作部１１０ｂに設けられている各種操作子を適宜操作することによって、この機械設定画面を表示部１１０ａに表示させることができる。この機械設定画面を視認した機械管理者は、ラジオボタン１５Ａを押下することによって、デカーラカスタムテーブルの設定を行う旨を指示することができる。また、機械管理者は、タグ１５Ｂやタグ１５Ｃを押下することによって、他の機械設定を行うための画面を表示部１１０ａに表示させることができる。なお、機械管理者は、他の機械設定を行うための画面が表示部１１０ａに表示されている状況下では、タグ１５Ｃを押下することによって、図１５に示す機械設定画面を表示部１１０ａに表示させることもできる。なお、本動作例では、図１５に示す機械設定画面が表示部１１０ａに表示されている状況下で、ラジオボタン１５Ａが押下された場合について説明する。
【００３６】
システム制御部１２０は、図１５に示す機械設定画面を表示部１１０ａに表示させている状況下で、その機械設定画面にてラジオボタン１５Ａが押下されたことを示すデータがインタフェイス制御部１３０から引き渡されると、図１６に示すデカーラカスタムテーブル選択画面を表示部１１０ａに表示させるようにインタフェイス制御部１３０を制御し、その結果、図１６に示すデカーラカスタムテーブル選択画面が表示部１１０ａに表示されることになる。
【００３７】
図１６に示すデカーラカスタムテーブル選択画面を視認した機械管理者は、カール補正処理にて利用を所望するデカーラカスタムテーブルを、図１６のラジオボタン１６Ａ〜１６Ｈの何れかを選択することによって選択し、図１６の決定ボタン１６Ｊを押下することによってその選択を決定することができる。また、機械管理者は、図１６のリセットボタン１６Ｉを押下することによって上記選択を取消すこともできる。本動作例では、図１６のラジオボタン１６Ａが押下され（すなわち、利用すべきデカーラカスタムテーブルとして「カスタムテーブル１」が選択され）、決定ボタン１６Ｊが押下されたものとする。
【００３８】
図１６に示すデカーラカスタムテーブル選択画面にて、利用すべきデカーラカスタムテーブルが選択され決定ボタン１６Ｊが押下されると、システム制御部１２０は、その選択内容に応じたデカーラカスタムテーブル（本動作例では、「カスタムテーブル１」）に対付けて記憶部１８０に記憶されている環境データを読み出す一方、その時点の環境を表す環境データをセンサ１７０から取得し、両者を比較して両者の乖離度が所定の閾値を超えているか否かを判定する。
そして、システム制御部１２０は、上記乖離度が所定の閾値以内であると判定した場合には、図１６に示すデカーラカスタムテーブル選択画面にて選択されたデカーラカスタムテーブルを記憶部１８０から読み出してＲＡＭに記憶し、以降の画像形成処理に備え、本デカーラカスタムテーブル選択処理を終了する一方、上記乖離度が所定の閾値を超えている場合には、その旨を機械運用管理者へ警告する画面（例えば、図１７に示す警告画面）を表示部１１０ａに表示させるようにインタフェイス制御部１３０を制御する。
【００３９】
図１７に示す警告画面を視認した機械運用管理者は、図１７のボタン１７Ａまたはボタン１７Ｂの何れかを押下することにより、その時点の環境に応じたデカーラカスタムテーブルの作成、または、図１６のデカーラカスタムテーブル選択画面にて選択したデカーラカスタムテーブルをそのまま利用することの何れかを指示することができる。
これに対してシステム制御部１２０は、図１７のボタン１７Ａが押下されたことを示すデータがインタフェイス制御部１３０から引き渡された場合には、図９に示すデカーラカスタムテーブル作成処理を実行してその時点の環境に則したデカーラカスタムテーブルを作成する一方、図１７のボタン１７Ｂが押下されたことを示すデータがインタフェイス制御部１３０から引き渡された場合には、図１６に示すデカーラカスタムテーブル選択画面にて選択されたデカーラカスタムテーブルを記憶部１８０から読み出してＲＡＭに記憶し、以降の画像形成処理に備え、本デカーラカスタムテーブル選択処理を終了する。
【００４０】
以上に説明したように、本実施形態に係る画像形成装置１０によれば、ユーザが利用する記録材に適した補正力を示すパラメータがその記録材に印刷する画像の像密度毎に格納されたデカーラカスタムテーブルを手軽に作成することが可能になるといった効果を奏する。加えて、本実施形態に係る画像形成装置１０によれば、デカーラカスタムテーブルの作成時点の環境と、その使用時点の環境とが大きく異なっている場合には、その旨を示す警告画面が表示部１１０ａに表示されるため、その使用時点の環境にはそぐわないデカーラカスタムテーブルを用いてカール補正が為されることが回避されるとともにその時点の環境に適したデカーラカスタムテーブルの作成が促されるといった効果を奏する。
【００４１】
（Ｃ：変形）
以上、本発明の１実施形態について説明したが、係る実施形態に以下に述べるような変形を加えても良いことは勿論である。
（１）上述した実施形態では、デカーラカスタムテーブルを作成した時点と、そのデカーラカスタムテーブルの利用を指示された時点とで、湿度や温度などの環境条件が大きくことなっている場合には、その旨を警告する場合について説明した。しかしながら、係る警告を行わない場合には、センサ１７０を画像形成装置１０に設けておく必要はない。また、デカーラカスタムテーブルの作成過程にて、表示部１１０ａに順次表示される画面（図５〜図８、図１０および図１２〜図１３に示す画面）のうち、図６、図８、図１０および図１３に示す画面については必ずしも必須の画面ではないので、これらのうちの何れかまたは全てを表示させないようにしても勿論良い。
【００４２】
（２）上述した実施形態では、図７に示すモード選択画面にて１つの印刷モードを選択させる場合について説明したが、複数の選択モードを選択させるようにしても勿論良い。また、図７に示すモード選択画面に、全ての印刷モードについてデカーラカスタムテーブルの作成を行うことを示す選択項目を設けるようにしても良い。図７に示すモード選択画面にて複数の印刷モードが選択された場合、または、全ての印刷モードを選択することを示す選択項目が選択された場合には、それら選択された印刷モードの各々について、図９に示すステップＳＡ１１０〜ＳＡ１６０の処理をシステム制御部１２０に順次実行させるようにすれば良い。
【００４３】
（３）上述した実施形態では、画像形成装置を利用するためのユーザインタフェイスを実現するユーザインタフェイス部をその画像形成装置に設けられている表示部および操作部で構成する場合について説明した。しかしながら、例えばパーソナルコンピュータ装置など画像形成装置とは別体のコンピュータ装置をＬＡＮ（Local Area Network）などの通信網を介して接続し、そのコンピュータ装置に上記ユーザインタフェイスを提供させるようにしても良い。具体的には、上記コンピュータ装置の表示部および操作部を上記ユーザインタフェイス部に対応させ、通信網を介してそのコンピュータ装置とデータの送受信を行うためのＮＩＣ（Network Interface Card）を上記インタフェイス制御部として用いるようにすれば良い。
【００４４】
（４）上述した実施形態では、ある記録材を用いて片面印刷（ストレート排紙）を行う際に利用するデカーラカスタムテーブルを作成する場合について説明したが、その記録材を用いて片面印刷（反転排紙）や両面印刷を行う際に利用するデカーラカスタムテーブル（図１８参照）についても同様に作成することが可能である。具体的には、複数の記録材の各々について、前述したテスト画像およびサンプル番号をその記録材の両面に印刷し、各記録材毎に異なる補正力でカール補正を行って排紙し、それら記録材のうちで適切にカール補正が為されている記録材をユーザに選択させ、その選択結果を入力させてデカーラカスタムテーブルを作成させるようにすれば良い。なお、両面印刷についてのデカーラカスタムテーブルを作成する場合には、記録材の一方の面（図１８（ｂ）のＳｉｄｅ１）に印刷する画像の像密度と他方の面（図１８（ｂ）のＳｉｄｅ２）に印刷する像密度との差が図１８（ｂ）に示す６段階の何れかになるよう、記録材の両面に印刷を行い、前述した６段階の範囲で補正力を変えつつサンプル印刷を行うようにすれば良い。
【００４５】
（５）上述した実施形態では、画像形成を行う際にユーザによって選択されたデカーラカスタムテーブルに対応付けられている環境条件データの表す環境（上述した実施形態では、湿度）と、その画像形成時点の環境とが異なっている場合に、その旨を通知する警告画面を表示部に表示させる場合について説明した。しかしながら、画像形成の対象である記録材について片面印刷用（ストレート排紙）用のデカーラカスタムテーブルと両面印刷用のデカーラカスタムテーブルとが作成されており、その記録材を用いて片面印刷（ストレート排紙）を行うことが指示されたにもかかわらず、両面印刷用のデカーラカスタムテーブルを利用する旨の設定が為された場合には、指示された印刷態様と利用を指示されたデカーラカスタムテーブルとが整合しない旨を警告する警告画面を表示部１１０ａに表示させるようにしても良い。
【００４６】
（６）上述した実施形態では、本発明に係る画像形成装置に特徴的なデカーラカスタムテーブル作成動作をシステム制御部に実行させるための制御プログラムを予めメモリに書き込んでおく場合について説明したが、例えばＣＤ−ＲＯＭ（Compact Disk-Read Only memory）などコンピュータ装置読取り可能な記録媒体に上記制御プログラムを書き込んで配布し、係る記録媒体を用いて上記制御プログラムを、デカーラを備えた一般的な画像形成装置にインストールするようにしても良い。このようにすると、デカーラを備えた一般的な画像形成装置に本発明に係る画像形成装置と同一の機能を付与することが可能になる。
【図面の簡単な説明】
【００４７】
【図１】本発明の１実施形態に係る画像形成装置１０の構成例を示す図である。
【図２】同画像形成装置１０のユーザインタフェイス部１１０の外観の一例を示す図である。
【図３】同画像形成装置１０のデカーラ１６０の構成例を示す図である。
【図４】同画像形成装置１０の記憶部１８０に格納されるデカーラカスタムテーブルの一例を示す図である。
【図５】同画像形成装置１０の表示部１１０ａに表示される設定メニュー画面の一例を示す図である。
【図６】同画像形成装置１０の表示部１１０ａに表示される確認画面の一例を示す図である。
【図７】同画像形成装置１０の表示部１１０ａに表示されるモード選択画面の一例を示す図である。
【図８】同画像形成装置１０の表示部１１０ａに表示されるサンプル印刷開始画面の一例を示す図である。
【図９】同画像形成装置１０のシステム制御部１２０が行うデカーラカスタムテーブル作成処理の流れを示すフローチャートである。
【図１０】サンプル印刷時に画像形成装置１０の表示部１１０ａに表示される印刷終了待ち画面の一例を示す図である。
【図１１】同画像形成装置１０によるサンプル印刷結果の一例を示す図である。
【図１２】同画像形成装置１０の表示部１１０ａに表示される評価結果入力画面の一例を示す図である。
【図１３】同画像形成装置１０の表示部１１０ａに表示される出力再開画面の一例を示す図である。
【図１４】同画像形成装置１０の表示部１１０ａに表示される保存先指示画面の一例を示す図である。
【図１５】同画像形成装置１０の表示部１１０ａに表示される設定画面の一例を示す図である。
【図１６】同画像形成装置１０の表示部１１０ａに表示されるデカーラカスタムテーブル選択画面の一例を示す図である。
【図１７】同画像形成装置１０の表示部１１０ａに表示される警告画面の一例を示す図である。
【図１８】変形例（４）に係るデカーラカスタムテーブルの一例を示す図である。
【符号の説明】
【００４８】
１０…画像形成装置、１１０…ユーザインタフェイス部、１１０ａ…表示部、１１０ｂ…操作部、１２０…システム制御部、１３０…インタフェイス制御部、１４０…紙送り制御部、１５０…デカーラ制御部、１６０…デカーラ、１７０…センサ、１８０…記憶部。
【図１】
0004706447.tif 000002
【図２】
0004706447.tif 000003
【図３】
0004706447.tif 000004
【図４】
0004706447.tif 000005
【図５】
0004706447.tif 000006
【図６】
0004706447.tif 000007
【図７】
0004706447.tif 000008
【図８】
0004706447.tif 000009
【図９】
0004706447.tif 000010
【図１０】
0004706447.tif 000011
【図１１】
0004706447.tif 000012
【図１２】
0004706447.tif 000013
【図１３】
0004706447.tif 000014
【図１４】
0004706447.tif 000015
【図１５】
0004706447.tif 000016
【図１６】
0004706447.tif 000017
【図１７】
0004706447.tif 000018
【図１８】
0004706447.tif 000019